(57)【要約】【課題】人工木材を敷き並べて屋外の床材や路材として使用した場合であっても、確実に歩行者の人体帯電電位の上昇を抑え、静電気の放電による痛みが生じることを防止できる歩行面構造を提供する。【解決手段】木材チップとプラスチック片を主原料として板状又はブロック状に成形して人工木材を敷き並べてなる歩行面の構造Ａであって、人工木材として、絶縁性人工木材１と、絶縁性人工木材１よりも高導電性で形成され、歩行者が踏むことで人体帯電電位を低下させる導電性人工木材２とを用いて構成され、導電性人工木材２を踏むことで歩行者の人体帯電電位が２５００Ｖ以下で保持されるように導電性人工木材２を配設して、歩行面を形成する。【選択図】図７
2014152505.tif 000002
【特許請求の範囲】
【請求項１】
木材チップとプラスチック片を主原料として板状又はブロック状に成形して人工木材を敷き並べてなる歩行面の構造であって、
前記人工木材として、絶縁性人工木材と、前記絶縁性人工木材よりも高導電性で形成され、歩行者が踏むことで人体帯電電位を低下させる導電性人工木材とを用いて構成され、
前記導電性人工木材を踏むことで前記歩行者の人体帯電電位が２５００Ｖ以下で保持されるように前記導電性人工木材を配設して、前記歩行面が形成されていることを特徴とする歩行面構造。
【請求項２】
請求項１記載の歩行面構造において、
前記導電性人工木材の抵抗値が１×１０５（Ω）以上１×１０１０（Ω）未満であることを特徴とする歩行面構造。
【請求項３】
請求項１または請求項２に記載の歩行面構造において、
実際に歩行面構造が使用される温湿度条件、あるいはＪＩＳ  Ｃ  ６１３４０に示された温湿度条件で、歩行時の人体帯電電位を測定する人体帯電電位測定工程と、
前記人体帯電電位測定工程で得られた人体帯電電位の波形から歩数と人体帯電電位の関係を導出する歩数／人体帯電電位関係導出工程と、
前記歩数／人体帯電電位関係導出工程で得られた歩数と人体帯電電位の関係から人体帯電電位が２５００Ｖを超える歩数Ｆを決定する歩数決定工程と、
Ｐ＝Ｆ／８を算出するとともに、靴の長さＭ、歩幅間隔Ｎ、前記絶縁性人工木材Ｚ枚につき前記導電性木材を１枚の間隔で貼るものとし、関係式（Ｍ＋Ｎ）×Ｐ＝１０×Ｚから前記導電性人工木材１枚につき前記絶縁性人工木材を貼る枚数Ｚを求める導電性人工木材配設割合決定工程とに基づいて、
前記絶縁性人工木材と前記導電性人工木材の配置が設定されていることを特徴とする歩行面構造。
【発明の詳細な説明】
【技術分野】
【０００１】
本発明は、人工木材を敷き並べてなる歩行面の構造に関する。
【背景技術】
【０００２】
天然木材と比較して寸法安定性、耐腐食性、耐候性などに優れ、地球環境負荷の低減を図ることができるなどの多くの利点を有することから、廃木材チップと主にポリプロピレンなどの廃プラスチック片を主原料として板状又はブロック状に成形した人工木材を、各種建材、ウッドデッキやテラス、歩道の床材、路材などとして使用するケースが増えている。
【０００３】
一方、この種の人工木材は、一般にプラスチック原料の割合を例えば４５〜５０％程度としており、これにより、電気抵抗値が１．０×１０１２Ωを超える絶縁性の材料となる。このため、この絶縁性の人工木材を敷き並べて屋外の床材や路材として使用した場合、特に、冬期の湿度が低い環境で使用した場合には、人工木材上を歩行する歩行者の身体に静電気が帯電しやすくなり、金属製の手摺りやドアノブに触れるとともに痛みを伴うほどの放電が生じるという問題があった。
【０００４】
これに対し、本願の発明者は、この絶縁性の人工木材を使用することに起因して人に静電気が帯電する現象を調査し、その対策を講じることを試みた。図９は、絶縁性の一般的な作業靴を着用して歩行した場合の人体帯電電位の経時変化を調査した結果を示している。この図の通り、歩行動作をするほどに歩行者の人体帯電電位が上昇してゆき、約９０秒、歩数にして１８０歩で４０００V近くまで上昇することが確認された。ここで、表１に示すように、静電気の放電によって人が痛みを感じる人体帯電電位は２５００V以上とされ、４０００Ｖ近くまで達すると強い痛みを感じることになる。
【０００５】
【表１】
2014152505.tif 000003
【０００６】
このため、従来、人工木材を既に使用し、顕著な静電気の発生が問題となっている場合には、この人工木材の表面に帯電防止ワックスを塗布したり、人工木材のエッジ部に金属を貼り付け、アース線に接続するなどの対策を講じている。
【０００７】
ここで、特許文献１には、合成樹脂製の板材を敷き並べて歩行面を形成する構造が開示される。そして、この特許文献１の歩行面構造では、隣り合う合成樹脂製の板材の間に、導電性粉末を含有するゴム弾性材からなる除電目地材を挿着することによって、歩行者の人体帯電電位の上昇を抑止するようにしている。
【先行技術文献】
【特許文献】
【０００８】
【特許文献１】特開２０１０−１１２０８０号公報
【発明の概要】
【発明が解決しようとする課題】
【０００９】
しかしながら、上記のように、人工木材に帯電防止ワックスを塗布したり、エッジ部に金属を貼り付け、アース線と接続する対策を講じた場合には、定期的なメンテナンスが必要になったり、見栄えが変化してしまうなどの不都合が生じる。
【００１０】
また、人工木材の抵抗値を下げるように材料の配合を変更した導電性の人工木材を使用して静電気の発生を防止することも考えられるが、現在、導電性人工木材は、その製品コストが非常に高く、既存の絶縁性人工木材の全てを導電性人工木材に変更、交換する場合には、その施工コストが大幅に増大してしまう。
【００１１】
さらに、特許文献１の歩行面構造のように隣り合う人工木材の間にゴム弾性材からなる除電目地材を挿着して歩行面構造を構成し、人体帯電電位の上昇を抑止することも考えられるが、このように導電素材の目地材を挿着してしまうと、また、前述のようにエッジ部に金属などの導電素材を貼り付けてしまうと、人工木材の長所、すなわち、木材を用いることによる歩行面構造の外観、その外観に起因したリラックス、情緒安定等の効果を損なうおそれがある。
【００１２】
さらに、目地材を挿着したり、エッジ部に部材を貼り付ける場合には、歩行者の靴底にこれらの導電素材を確実に接触させて除電できるようにするため、例えば、人工木材面上に貼り付けるように設置したり、人工木材の表面から最大で２ｍｍ程度突出させる設置することが必要になる。このため、日常の使用においては、多くの人の歩行によって振動や摩擦および衝撃を受けることになり、この導電素材が徐々に剥がれてきたり、外れるなどして美観を損ねるおそれもある。
【００１３】
また、長い間使用されることなどにより、導電素材が設置時よりも人工木材面から出っ張るように変形することも考えられ、このように導電素材が人工木材面から出っ張ると、歩行者がつまずく危険性が出てくる。歩行者がつまずいて転倒する事態は、床材として最も避けなければならないことであり、このような点からも、より好適に歩行者の人体帯電電位の上昇を抑止する手法の開発が望まれている。
【課題を解決するための手段】
【００１４】
本発明の歩行面構造は、木材チップとプラスチック片を主原料として板状又はブロック状に成形して人工木材を敷き並べてなる歩行面の構造であって、前記人工木材として、絶縁性人工木材と、前記絶縁性人工木材よりも高導電性で形成され、歩行者が踏むことで人体帯電電位を低下させる導電性人工木材とを用いて構成され、前記導電性人工木材を踏むことで前記歩行者の人体帯電電位が２５００Ｖ以下で保持されるように前記導電性人工木材を配設して、前記歩行面が形成されていることを特徴とする。
【００１５】
また、本発明の歩行面構造においては、前記導電性人工木材の抵抗値が１×１０５（Ω）以上１×１０１０（Ω）未満であることが望ましい。
【００１６】
さらに、本発明の歩行面構造においては、実際に歩行面構造が使用される温湿度条件、あるいはＪＩＳ  Ｃ  ６１３４０に示された温湿度条件で、歩行時の人体帯電電位を測定する人体帯電電位測定工程と、前記人体帯電電位測定工程で得られた人体帯電電位の波形から歩数と人体帯電電位の関係を導出する歩数／人体帯電電位関係導出工程と、前記歩数／人体帯電電位関係導出工程で得られた歩数と人体帯電電位の関係から人体帯電電位が２５００Ｖを超える歩数Ｆを決定する歩数決定工程と、Ｐ＝Ｆ／８を算出するとともに、靴の長さＭ、歩幅間隔Ｎ、前記絶縁性人工木材Ｚ枚につき前記導電性木材を１枚の間隔で貼るものとし、関係式（Ｍ＋Ｎ）×Ｐ＝１０×Ｚから前記導電性人工木材１枚につき前記絶縁性人工木材を貼る枚数Ｚを求める導電性人工木材配設割合決定工程とに基づいて、前記絶縁性人工木材と前記導電性人工木材の配置が設定されていることが望ましい。
【発明の効果】
【００１７】
本発明の歩行面構造においては、絶縁性人工木材と導電性人工木材を混在して歩行面構造を形成するとともに、歩行者の歩幅や行動などに応じて導電性人工木材を適宜位置に配設することによって、歩行面上の走行者の人体帯電電位を２５００Ｖ以下にすることができる。これにより、部分的に高価な導電性木材を使用し、木材による外観を維持しつつ人体帯電電位の上昇を抑止して、静電気の放電によって人が痛みを感じることを防止することが可能になる。
【００１８】
よって、本発明の歩行面構造によれば、定期的なメンテナンスを不要にし、また、施工コストの増大を招くことがなく、さらに人工木材を使用することによるリラックス、情緒安定等の効果を損なうことなく、好適に人体帯電電位の上昇を抑止することが可能になる。
【図面の簡単な説明】
【００１９】
【図１】絶縁性人工木材と導電性人工木材の抵抗値を比較した図である。
【図２】絶縁性人工木材と導電性人工木材上をそれぞれ歩行した場合の人体帯電電位を示す図である。
【図３】室温２１．５℃、相対湿度４５％Ｒ．Ｈ．の条件下で実験を行った結果を示す図であり、絶縁性人工木材上を歩行した場合の人体帯電電位の波形を示す図である。
【図４】図３の波形から高い値のみを抽出して近似した図である。
【図５】室温２３℃、相対湿度１２％Ｒ．Ｈ．の条件下で実験を行った結果を示す図であり、絶縁性人工木材上を歩行した場合の人体帯電電位の波形から高いのみを抽出して近似した図である。
【図６】靴の縦の長さをＭ（ｃｍ）、歩幅をＷ（ｃｍ）、靴で踏まれない幅（歩幅間隔）をＮ（ｃｍ）を示す図である。
【図７】放電緩和効果が望める人工木材の施工パターンの一例を示す図である。
【図８】人体帯電電位の測定波形の一例を示す図である。
【図９】絶縁性人工木材上を歩行した場合の人体帯電電位を示す図である。
【発明を実施するための形態】
【００２０】
以下、図１から図８を参照し、本発明の一実施形態に係る歩行面構造について説明する。
【００２１】
本実施形態の歩行面構造は、廃木材チップと廃プラスチック片（木材チップとプラスチック片）を主原料として板状又はブロック状に成形した人工木材を敷き並べて構成されている。
【００２２】
また、人工木材として、絶縁性人工木材と、絶縁性人工木材よりも高導電性で形成され、歩行者が踏むことで人体帯電電位を低下させる導電性人工木材とを用いて構成され、導電性人工木材を踏むことで歩行者の人体帯電電位が２５００Ｖ以下で保持されるように導電性人工木材を配設して、歩行面が形成されている。
【００２３】
具体的に、本実施形態の導電性人工木材は、図１に示すように、既存の絶縁性人工木材の配合を変更して製造し、抵抗値が１×１０５（Ω）以上１×１０１０（Ω）未満［１０５（Ω）オーダー〜１０９（Ω）オーダー］、好ましくは１０９（Ω）オーダーとなるように製作されている。なお、試作品として製造した導電性人工木材は、その抵抗値が３．０〜４．０×１０９（Ω）であった。
【００２４】
ここで、図２は、既存の抵抗値の高い絶縁性人工木材の上だけを歩いて２５００Ｖ以上まで人体帯電電位を上昇させ、その後、抵抗値が高い絶縁性人工木材上を１０歩、導電性人工木材上を２歩の割合で歩行した際の人体帯電電位の波形を示している。この図から、抵抗値の高い絶縁性人工木材上を歩行しているときは、人体帯電電位は徐々に上昇してゆくが、その後、導電性人工木材上を数歩歩くだけで、人体帯電電位が徐々に低下してゆくことが分かる。
【００２５】
そして、この図２の波形から、次の知見が得られる。まず、歩行する人には、抵抗値の高い絶縁性人工木材と靴底の間で発生する静電気が溜まり、歩数に応じて人体帯電電位が上昇する。この状態で、導電性のある人工木材と靴底が接触した場合に、靴底の電荷は導電性人工木材を通じて除去される。ここで、電荷緩和時間τは、初期電荷の１／ｅとなる時間のことであり、物体の静電容量Ｃ、漏洩抵抗Ｒから、以下の式（１）で与えられる。
【００２６】
【数１】
2014152505.tif 000004
【００２７】
人体帯電電位に関して行った試験では、人の歩行が０．５秒間に１歩であることが確認され、静電緩和時間τが０．５秒以内であれば、床の帯電電荷が消失することになる。
【００２８】
そして、人体帯電電位は、以下の式（２）で求められる。この式（２）に示されるように、人体帯電電位Ｖは、人体の静電容量Ｃが小さくなるほど大きくなる。
【００２９】
【数２】
2014152505.tif 000005
Ｑ：人体に蓄積した電荷量、Ｃ：人体の静電容量、Ｖ：人体帯電電位
【００３０】
また、人体の静電容量は、一般に１００ｐＦとされているが、人体の静電容量が体の姿勢によって変化し、歩行時に足を上げた際には、約５０ｐＦに低下する。したがって、人体帯電電位がピークの瞬間からの除電を対象とした場合、電荷緩和時間τを０．５秒、人の静電容量Ｃを５０ｐＦ、床の漏えい抵抗をＲ（Ω）とすると、式（１）より、
０．５＝５０×１０−１２×Ｒ
Ｒ＝１．０×１０１０（Ω）
となる。
【００３１】
すなわち、床の抵抗値が１．０×１０１０（Ω）未満で、人が静電靴を履いている場合は、０．５秒未満で電荷緩和することになる。しかしながら、人工木材を使用するような場所では、歩行者が導電性のない通常の靴を履いている。この通常の靴は靴底の抵抗値が高いため、１歩ごとに床材と靴底表面が静電緩和されるが、人体に蓄積した電荷は静電緩和に時間がかかるため、ある程度の電荷が蓄積されることになる。この静電気の蓄積による人体帯電電位のピークが２０００Ｖ程度となれば、静電気による放電が発生しても痛みを感じることはない。
【００３２】
これに対し、既存の絶縁性である人工木材は、抵抗値が１０１２（Ω）以上であるため、１歩の歩行によって人体に溜まる静電気は、次の１歩を踏み出す０．５秒以内に静電緩和されない。このため、徐々に人体に静電気が蓄積することになる。これに対し、導電性人工木材の抵抗値は、４．０×１０９（Ω）であるため、次の１歩を踏み出すまでに、靴底面と導電性人工木材面の静電気は緩和される。
【００３３】
そして、図２に示されるように、人体帯電電位が２５００Ｖから徐々に低下してゆくのは、靴底の電荷がゼロとなっても、靴底や靴全体の抵抗値が高いため、電荷が時間をかけて少しずつ全体的に均一になろうとすることに起因している。
【００３４】
ここで、図２に示した既存の抵抗値が高い絶縁性人工木材上を歩いた際の波形の０秒から６０秒あたりまでに対し、波形の山の頂点のみを抽出して図３に示す。人体帯電電位は歩行動作に伴って上下動するため、波形の頂点も大きく上下動し、バラツキが見られる。そこで、図４に示すように、この波形の頂点から、さらに高い頂点のみを抽出し、この抽出した頂点の近似曲線を求めると、以下の式（３）で表される。この近似式の相関係数はＲ２＝０．９６であることから、きわめて高い相関が得られている。したがって、この式を用いることにより、抵抗値の高い絶縁性人工木材上を歩行した人体帯電電位を求めることができる。
【００３５】
【数３】
2014152505.tif 000006
なお、Ｙは人体帯電電位、Ｘは歩行の経過時間である。
【００３６】
一方で、静電気の発生量は、空気中の湿度に大きく依存する。図２から図４に示したデータは、室温２１．５℃、相対湿度４５％Ｒ．Ｈ．の条件下でのデータであるが、一般に、空気中の湿度が低いほど、静電気は発生しやすくなる。そこで、ＪＩＳ  Ｃ  ６１３４０の環境条件に従って、室温２３℃、相対湿度１２％Ｒ．Ｈ．の条件下で実験を行った結果を図５に示す。また、図４と同様に、この図５における人体帯電電位の波形の山の頂点を抽出し、さらに頂点の高い点のみを抽出し、この抽出した頂点の近似曲線を求めると、以下の式（４）で表される。
【００３７】
【数４】
2014152505.tif 000007
なお、Ｙは人体帯電電位、Ｘは歩行の経過時間である。
【００３８】
次に、表２に、相対湿度４５％Ｒ．Ｈ．と、１２％Ｒ．Ｈ．における人体帯電電位の算出値を示す。そして、この表２に示すように、人体帯電電位が放電によって痛みを感じるとされる２５００Ｖを超えるのは、相対湿度が４５％Ｒ．Ｈ．で８５秒後（１７０歩目）に対し、１２％Ｒ．Ｈ．で８秒後（１６歩目）であることが確認された。
【００３９】
【表２】
2014152505.tif 000008
【００４０】
この結果から、低湿度である１２％Ｒ．Ｈ．においては、１６歩歩く間に靴底の静電気を除去することで人体帯電電位の上昇を抑えることができる。ただし、片方の靴底のみが除電されても、もう一方の靴底はそのまま帯電していることから、人体帯電電位の確実な低下は望めない。すなわち、両方の靴底が確実に除電されることが求められ、左足は８歩で１回以上、右足も８歩で１回以上、それぞれの足が導電性人工木材を踏んで除電されることが必要になる。この一方で、人の歩行動作は不規則でもあるが、この程度のピッチであれば導電性人工木材を一回踏み越えてもカバーすることができる。すなわち、８歩で４回、いずれかの足が人工木材を踏む機会があると考えれば、人の歩行動作の不規則性をカバーして確実に人体帯電電位の上昇を抑えることが可能になる。
【００４１】
ついで、上記の内容を式で示す。このとき、図６に示すように、靴の縦の長さをＭ（ｃｍ）、歩幅をＷ（ｃｍ）、靴で踏まれない幅（歩幅間隔）をＮ（ｃｍ）、すなわち、Ｗ＝Ｍ＋Ｎとすると、歩数に対する足の位置（踏む位置）は、表３に示すようになる。なお、ＭとＮは、歩行者の体格等によって変化するため、設計者が使用条件に合わせて決定すればよい。
【００４２】
【表３】
2014152505.tif 000009
【００４３】
ここで、例えば、靴底の縦方向の長さＭを２５ｃｍ、通常歩行の歩幅間隔Ｎを１５ｃｍと仮定する。一方、デッキ材として使用される人工木材（板）は、定型品の幅が９ｃｍで、施工時における板と板の隙間は１ｃｍであり、板と隙間を合わせて１０ｃｍとなる。
【００４４】
これを基に、上記のように８歩に４回、導電性人工木材を踏むようにすることを考えると、まず、Ｍ＝２５ｃｍ、Ｎ＝１５ｃｍで、２歩における足の位置は、２×（２５＋１５）ｃｍ〜（８０＋２５）ｃｍ、すなわち、８０ｃｍ〜１０５ｃｍとなる。
【００４５】
そして、絶縁性人工木材８枚につき、導電性人工木材１枚の間隔で貼ると（配置すると）、８０ｃｍ〜９０ｃｍの位置に導電性人工木材が位置するので、確実に踏まれることになる。
【００４６】
また、絶縁性人工木材９枚につき、導電性人工木材１枚の間隔で貼ると、９０ｃｍ〜１００ｃｍの位置に導電性人工木材が位置するので、やはり踏まれることになる。しかし、この場合、４歩目における足の位置が１６０ｃｍ〜１８５ｃｍとなり、導電性人工木材の位置が１９０ｃｍ〜２００ｃｍの位置になるため、４歩目の足の位置から導電性人工木材が外れてしまうことになる。
【００４７】
上記の考え方から、以下の手順によって絶縁性人工木材と導電性人工木材の好適な組み合わせを次のようにして決めることができる。
【００４８】
１）実使用において想定される温湿度条件で、歩行時の人体帯電電位を測定する（人体帯電電位測定工程）。このとき、温湿度条件が明確でない場合は、ＪＩＳ  Ｃ  ６１３４０の温度２３℃、湿度１２％Ｒ．Ｈ．を採用すればよい。
２）得られた人体帯電電位の波形から山の頂点を抽出し、歩数と人体帯電電位の関係を導出して把握する（歩数／人体帯電電位関係導出工程）。
３）さらに、人体帯電電位が２５００Ｖを超える歩数Ｆを決定する（歩数決定工程）。
４）次に、Ｆ／８（＝Ｐ）を算出する。なお、割り切れない場合は、割れる最大数とする。
５）靴の長さをＭ、歩幅間隔をＮとし、絶縁性人工木材Ｚ枚につき導電性人工木材を１枚の間隔で貼るものとして、関係式（Ｍ＋Ｎ）×Ｐ＝１０×ＺからＺを求める（導電性人工木材配設割合決定工程）。
【００４９】
具体的に、Ｍ＝２５ｃｍ、Ｎ＝１５ｃｍ、Ｆ＝１６（表２参照）と仮定すると、（２５＋１５）×１６／８＝１０×Ｚとなり、Ｚ＝８枚となる。
よって、絶縁性人工木材８枚につき、導電性人工木材を１枚貼る組み合わせであれば、人体帯電電位の上昇を２５００Ｖ以下に抑えることが可能になる。
【００５０】
ここで、図７には、上から見た通常の人工木材（絶縁性人工木材）１と、導電性人工木材２の組み合わせパターンを示す。また、図８には、実験的に通常の人工木材上を１０歩、導電性木材上を１歩のペースで歩行した際の人体帯電電位の波形（図８（ａ））と、比較のために１９歩に１歩のペースで歩行した場合の波形（図８（ｂ））を示す。これらの図から、１０歩に１歩の場合には人体帯電電位が２０００Ｖを超えないことが確認でき、１９歩に１歩のペースで歩行した場合には２５００Ｖを超えることが確認された。
【００５１】
したがって、本実施形態の歩行面構造においては、絶縁性人工木材と導電性人工木材を混在して歩行面構造を形成するとともに、歩行者の歩幅や行動などに応じて導電性人工木材を適宜位置に配設することによって、歩行面上の走行者の人体帯電電位を常時２５００Ｖに保持できるようにする。これにより、部分的に高価な導電性木材を使用し、木材による外観を維持しつつ人体帯電電位の上昇を抑止して、静電気の放電によって人が痛みを感じることを防止することが可能になる。
【００５２】
よって、本実施形態の歩行面構造によれば、定期的なメンテナンスを不要にし、また、施工コストの増大を招くことがなく、さらに人工木材を使用することによるリラックス、情緒安定等の効果を損なうことなく、好適に人体帯電電位の上昇を抑止することが可能になる。
【００５３】
また、本実施形態の歩行面構造においては、導電性人工木材の抵抗値が１×１０５（Ω）以上１×１０１０（Ω）未満であることによって、好ましくは１０９（Ω）オーダーであることによって、歩行者が導電性人工木材を踏んだ際に、確実に歩行者の人体帯電電位を低下させることができる。また、このとき、導電性人工木材の抵抗値が１０４オーダー（Ω）であると、感電の危険性が生じてしまう。
【００５４】
また、実際に歩行面構造が使用される温湿度条件、あるいはＪＩＳ  Ｃ  ６１３４０に示された温湿度条件で、歩行時の人体帯電電位を測定する人体帯電電位測定工程と、人体帯電電位測定工程で得られた人体帯電電位の波形から歩数と人体帯電電位の関係を導出する歩数／人体帯電電位関係導出工程と、歩数／人体帯電電位関係導出工程で得られた歩数と人体帯電電位の関係から人体帯電電位が２５００Ｖを超える歩数Ｆを決定する歩数決定工程と、Ｐ＝Ｆ／８を算出するとともに、靴の長さＭ、歩幅間隔Ｎ、前記絶縁性人工木材Ｚ枚につき前記導電性木材を１枚の間隔で貼るものとし、関係式（Ｍ＋Ｎ）×Ｐ＝１０×Ｚから前記導電性人工木材１枚につき前記絶縁性人工木材を貼る枚数Ｚを求める導電性人工木材配設割合決定工程とに基づいて、絶縁性人工木材と導電性人工木材の配置を設定することによって、確実に歩行面上の走行者の人体帯電電位を２５００Ｖ以下に保持することが可能になる。
【００５５】
以上、本発明に係る歩行面構造の一実施形態について説明したが、本発明は上記の実施形態に限定されるものではなく、その趣旨を逸脱しない範囲で適宜変更可能である。
例えば、本実施形態では、ある一つの人工木材を用いて取得したデータを基にして、導電性人工木材の配置を決定しているが、他の人工木材についても本実施形態に示した上記手順で、導電性人工木材の配置を決定すれば、本実施形態と同様の作用効果を得ることが可能である。
【符号の説明】
【００５６】
１    絶縁性人工木材
２    導電性人工木材
Ａ    歩行面構造
【図１】
2014152505.tif 000010
【図２】
2014152505.tif 000011
【図３】
2014152505.tif 000012
【図４】
2014152505.tif 000013
【図５】
2014152505.tif 000014
【図６】
2014152505.tif 000015
【図７】
2014152505.tif 000016
【図８】
2014152505.tif 000017
【図９】
2014152505.tif 000018